(57)【要約】【課題】本発明は、端子ピンの上部に非直線形状部を形成して、端線のからげを容易化し、溶接のバラツキをなくして安定化させることを目的とする。【解決手段】本発明によるレゾルバのコイルと端子接続構造は、端子ピン（６）の上部には端子ピン（６）の側部の直線形状とは異なる非直線形状部（２０、４０）が形成され、この非直線形状部（２０、４０）が溶かされてステータコイル（５）と一体となるようにした構成である。【選択図】　　　　図１
2004135430.tif 000002
【特許請求の範囲】
【請求項１】
輪状のステータ体（１）の両面に設けられ一体又は別体からなる第１、第２輪状絶縁カバー（３、４）と、前記第１、第２輪状絶縁カバー（３、４）の一方又は両方と一体に形成され端子ピン（６）を有する端子ピン保持部（７）と、前記第１、第２輪状絶縁カバー（３、４）を介して前記ステータ体（１）の各磁極（２）に巻回されたステータコイル（５）とを有し、前記ステータコイル（５）を前記端子ピン（６）にからげると共に前記ステータコイル（５）と端子ピン（６）とを溶接手段によって溶接するようにしたレゾルバのコイルと端子接続構造において、
前記端子ピン（６）の上部には、前記端子ピン（６）の側部の直線形状とは異なる非直線形状部（２０、４０）が形成され、前記溶接手段により前記非直線形状部（２０、４０）が溶かされて前記ステータコイル（５）と一体となるように構成したことを特徴とするレゾルバのコイルと端子接続構造。
【請求項２】
前記非直線形状部（２０、４０）は、前記端子ピン（６）の直径より大きい直径を有する膨大部（２０）からなることを特徴とする請求項１記載のレゾルバのコイルと端子接続構造。
【請求項３】
前記非直線形状部（２０、４０）は、スリット（２０ａ）を有し、前記スリット（２０ａ）には前記ステータコイル（５）の端線（５ａ）が係止されることを特徴とする請求項２記載のレゾルバのコイルと端子接続構造。
【請求項４】
前記非直線形状部は、くびれ部よりなり、前記くびれ部には前記ステータコイルが巻回されていることを特徴とする請求項１記載のレゾルバのコイルと端子接続構造。
【請求項５】
前記くびれ部は、前記端子ピンの側部の一方又は両方に形成された凹部からなることを特徴とする請求項４記載のレゾルバのコイルと端子接続構造。
【発明の詳細な説明】
【０００１】
【発明の属する技術分野】
本発明は、レゾルバのコイルと端子接続構造に関し、特に、端子ピンの上部に膨大部又はくびれ部を形成し、溶接のバラツキをなくして安定化及びステータコイルのからげの容易化を得るための新規な改良に関する。
【０００２】
【従来の技術】
従来、用いられていたこの種のレゾルバのコイルと端子接続構造としては、図５に示される構成がある（例えば、特許文献１、２）。
【０００３】
すなわち、図５において、符号１で示されるものは、全体形状が輪状をなし内方へ向けて所定間隔で突出して形成された複数の磁極２を有するステータ体であり、このステータ体１の両面には、前記各磁極２を覆うように形成された第１、第２輪状絶縁カバー３、４が設けられている。
前記第１輪状絶縁カバー３と一体に形成された端子ピン保持部７には端子ピン６が一体成形され、前記各磁極２に巻回されたステータコイル５の端線５ａは、図６の（Ａ）の状態で示されるようにからげ（巻付け）られている。
前記端線５ａがからげられた端子ピン６は、アークガスによる溶接手段（図示せず）によって溶接され、図６の（Ｂ）の状態で示されるように、球形の溶接部１０が形成され、端子ピン６の上部と端線５ａとが溶融して一体化される。
【０００４】
【特許文献１】
特開平１１−９８７４７号公報
【特許文献２】
特開平１１−９８７４８号公報
【０００５】
【発明が解決しようとする課題】
従来のレゾルバのコイルと端子接続構造は、以上のように構成されていたため、次のような課題が存在していた。
すなわち、端子ピンが全長にわたって同一直径でかつその側部が直線形状で構成されているため、ステータコイルの端線をからげる（巻付ける）場合に、上部の位置決めを行うことが難しく、自動巻線機による巻付け動作が極めて困難で、量産時の大きい障害となっていた。
また、端線のからげの状態にバラツキがあるため、端子ピンと端線の溶け具合にバラツキが発生し、振動による端線の切断等が発生することもあり、信頼性の向上を得ることが困難であった。
【０００６】
本発明は、以上のような課題を解決するためになされたもので、特に、端子ピンの上部に膨大部又はくびれ部を形成し、溶接のバラツキの安定化及びステータコイルのからげの容易化を得るようにしたレゾルバのコイルと端子接続構造を提供することを目的とする。
【０００７】
【課題を解決するための手段】
本発明によるレゾルバのコイルと端子接続構造は、輪状のステータ体の両面に設けられ一体又は別体からなる第１、第２輪状絶縁カバーと、前記第１、第２輪状絶縁カバーの一方又は両方と一体に形成され端子ピンを有する端子ピン保持部と、前記第１、第２輪状絶縁カバーを介して前記ステータ体の各磁極に巻回されたステータコイルとを有し、前記ステータコイルを前記端子ピンにからげると共に前記ステータコイルと端子ピンとを溶接手段によって溶接するようにしたレゾルバのコイルと端子接続構造において、前記端子ピンの上部には、前記端子ピンの側部の直線形状とは異なる非直線形状部が形成され、前記溶接手段により前記非直線形状部が溶かされて前記ステータコイルと一体となるようにした構成であり、また、前記非直線形状部は、前記端子ピンの直径より大きい直径を有する膨大部からなる構成であり、また、前記非直線形状部は、スリットを有し、前記スリットには前記ステータコイルの端線が係止される構成であり、また、前記非直線形状部は、くびれ部よりなり、前記くびれ部には前記ステータコイルが巻回されている構成であり、また、前記くびれ部は、前記端子ピンの側部の一方又は両方に形成された凹部からなる構成である。
【０００８】
【発明の実施の形態】
以下、図面と共に本発明によるレゾルバのコイルと端子接続構造の好適な実施の形態について説明する。尚、従来例と同一又は同等部分には同一符号を付して説明する。
また、本発明におけるレゾルバの構成は、一例として図５に示す従来構成と同一であるためそのまま援用して同一符号を用いると共に説明を省略し、図５と異なる部分のみ説明するものであるが、第１、第２輪状絶縁カバー３、４は各々別体に成形されている場合と、ステータ体１と一体にインサート成形されている場合とがある。また、端子ピン保持部７は、第１、第２輪状絶縁カバー３、４の何れか一方又は両方と一体に形成されている場合がある。
【０００９】
前記端子ピン保持部７に設けられた前記端子ピン６は、図１で示されるように構成されている。
すなわち、前記端子ピン６の上部には、この端子ピン６の直径Ｄより大きい直径の膨大部２０が形成されており、この膨大部２０は端子ピン６の側部６ａの直線形状が変化して非直線形状となる非直線形状部を構成している。
【００１０】
前述の状態で、レゾルバのステータ体１の各磁極２にステータコイル５を自動巻線機（図示せず）によって巻回する場合、予めプログラムされた巻線プログラムによって制御されたニードルの巻線動作により各磁極２すなわちスロットに対して巻線が実行される。
【００１１】
この巻線動作が行われ、ステータコイル５の端線５ａが端子ピン６にからげられると、この端子ピン６の上部に膨大部（非直線形状部）２０の直下位置で端線５ａのからげ位置が規制されて完了する。
前述の図１の（Ａ）のからげ完了状態で、アークガス等による図示しない溶接手段によって溶接処理を行うと、この膨大部２０が端線５ａと共に溶融し、図１の（Ｂ）状態のように球状の溶接部３０が形成される。従って、この溶接部３０により端子ピン６と端線５ａとの溶接が円滑に行われる。
【００１２】
また、図２の（Ａ）及び（Ｂ）状態で示される構成は、図１の他の形態であり、前記膨大部２０の上面に形成された切り込みからなるスリット２０ａに端線５ａを挿入して係止している。
前記スリット２０ａに端線５ａを係止した状態で前述と同様の溶接処理を行い、溶接部３０を形成している。尚、図１と同一部分には同一符号を付し、その説明は省略する。
【００１３】
また、図３の（Ａ）及び（Ｂ）状態で示される構成は、図１の他の形態であり、前記膨大部２０の代わりに、端子ピン６の側部の両方に形成された凹部によって形成されたくびれ部４０が設けられている。
前記くびれ部４０には前記端線５ａがからげられ、この状態で前述と同様の溶接処理を行い、このくびれ部４０部分が溶融して溶接部３０を形成している。尚、図１と同一部分には同一符号を付し、その説明は省略する。
【００１４】
また、図４の（Ａ）及び（Ｂ）状態で示される構成は、図３の他の形態であり、端子ピン６の一方の側部に凹部が形成されてくびれ部４０が設けられている。
前記くびれ部４０に端線５ａがからげられた状態で、前述と同様の溶接処理を行い、溶接部３０を形成している。尚、図１と同一部分には同一符号を付し、その説明は省略する。
【００１５】
従って、図１及び図２の場合、膨大部２０によって端線５ａの位置決めが容易でかつ溶接のバラツキがなくなり安定化する。
また、図３及び図４の場合、くびれ部によって端線５ａのからげ動作が容易となり、かつ、溶接時の溶接部３０のバラツキがなくなり安定化する。尚、前述の非直線形状部２０は、角形に限らず、丸等の他の形状とすることもできる。
【００１６】
【発明の効果】
本発明によるレゾルバのコイルと端子接続構造は、以上のように構成されているため、次のような課題が存在していた。
すなわち、端子ピンの上部に、側部の直線形状に対して非直線形状部としての膨大部又はくびれ部が形成されているため、ステータコイルの端線のからげ及び位置決めが容易で、かつ、溶接時の溶接部の形状のバラツキがなくなって安定化を得ることができる。
【図面の簡単な説明】
【図１】本発明によるレゾルバのコイルと端子接続構造の溶接工程を示す構成図である。
【図２】図１の他の形態を示す構成図である。
【図３】図１の他の形態を示す構成図である。
【図４】図３の他の形態を示す構成図である。
【図５】従来のレゾルバのステータ構造を示す断面図である。
【図６】図５の端子ピンの接続工程を示す構成図である。
【符号の説明】
１　　ステータ体
３、４　　第１、第２輪状絶縁カバー
５　　ステータコイル
６　　端子ピン
２０　　膨大部（非直線形状部）
３０　　溶接部
４０　　くびれ部
【図１】
2004135430.tif 000003
【図２】
2004135430.tif 000004
【図３】
2004135430.tif 000005
【図４】
2004135430.tif 000006
【図５】
2004135430.tif 000007
【図６】
2004135430.tif 000008